(57)【要約】【課題】【解決手段】目標とする人々のコミュニティに選択的に情報を提供するための方法であって、次のステップを含む。ａ）人々のコミュニティを選択するステップ。人々のコミュニティは少なくとも２人から成る。ｂ）人々のコミュニティによってアクセスされる製品を識別するステップ。製品は少なくとも２つの製品ユニットを含む。ｃ）少なくとも１つの固有の製品識別子を、製品ユニットの各々に提供するステップ。ｄ）データベースを提供するステップ。データベースは一連の情報を含み、一連の情報は少なくとも２つの異なる情報ユニットを含む。ｅ）一連の情報の少なくとも１つを、固有の製品識別子の各々と結びつけるステップ。ｆ）人々のコミュニティの中の各人を、少なくとも２つのグループを定義するために、少なくとも１つのグループに割当てるステップ。ｇ）各人にリーダを備えるステップ。リーダは固有の製品識別子を読取り可能で、固有の製品識別子に基づいて、データベース内に格納された一連の情報にアクセスするための要求システムを含み、各人は、少なくとも１つのグループのメンバーであることに基づいて、特定のグループ識別子を有する要求システムを含むリーダを備えられ、少なくとも１つの情報ユニットは、固有の製品識別子及び特定のグループ識別子に基づいて、人に選択的に提供される。【選択図】図１
2018507502.tif 000002
【特許請求の範囲】
【請求項１】
目標とする人々のコミュニティに選択的に情報を提供するための方法であって、
ａ）人々のコミュニティを選択するステップを含み、前記人々のコミュニティは少なくとも２人から成り、
ｂ）前記人々のコミュニティによってアクセスされる製品を識別するステップを含み、前記製品は少なくとも２つの製品ユニットから成り、
ｃ）少なくとも１つの固有の製品識別子を、前記製品ユニットの各々に提供するステップと、
ｄ）データベースを提供するステップを含み、前記データベースは一連の情報を含み、前記一連の情報は少なくとも２つの異なる情報ユニットを含み、
ｅ）前記一連の情報の少なくとも１つを、前記固有の製品識別子の各々と結びつけるステップと、
ｆ）前記人々のコミュニティの中の各人を、少なくとも２つのグループを定義するために、少なくとも１つのグループに割当てるステップと、
ｇ）各人にリーダを備えるステップとを含み、前記リーダは前記固有の製品識別子を読取り可能で、前記固有の製品識別子に基づいて、前記データベース内に格納された前記一連の情報のための要求システムを含み、
各人は、前記少なくとも１つのグループのメンバーであることに基づいて、特定のグループ識別子を有する要求システムを含むリーダを備えられ、少なくとも１つの前記情報ユニットは、前記固有の製品識別子及び前記特定のグループ識別子に基づいて、前記人に選択的に提供される、方法。
【請求項２】
前記データベースは、コンピュータシステムに格納される、請求項１に記載の方法。
【請求項３】
前記データベースは、クラウドシステムに格納される、請求項２に記載の方法。
【請求項４】
前記固有の製品識別子は、バーコード、ＱＲコード、データマトリックスコード、ザップコード、ＲＦＩＤタグ及びＮＦＣタグから成るグループから選択される少なくとも１つのタグの形式で提供される、請求項１に記載の方法。
【請求項５】
前記固有の製品識別子は、包装又は製品内に組込まれるか、あるいは包装又は製品の少なくとも一部によって形成される、請求項１に記載の方法。
【請求項６】
前記リーダは、バーコードスキャナ、カメラ付きコンピュータ、スキャナ付きコンピュータ、カメラ付きＰＤＡ、スキャナ付きＰＤＡ、カメラ付き携帯電話及びスキャナ付き携帯電話から成るグループから選択される、請求項１に記載の方法。
【請求項７】
前記携帯電話はスマートフォンである、請求項６に記載の方法。
【請求項８】
前記要求システムは、前記スマートフォン上のアプリケーションである、請求項７に記載の方法。
【請求項９】
異なるグループが、製品の価値連鎖の異なる点と連携する、請求項１に記載の方法。
【請求項１０】
前記製品は、医療機器、製剤、パーソナルケア製品、栄養剤、栄養補助食品、機能性食品及び食品から成るグループから選択される、請求項１に記載の方法。
【請求項１１】
少なくとも１つのグループは、病気又は疾患を患う人々から成る、請求項１に記載の方法。
【請求項１２】
前記病気又は疾患は、慢性的疾患又は疾患である、請求項１１に記載の方法。
【請求項１３】
目標とする人々のコミュニティに選択的に情報を提供するためのシステムであって、前記システムは、
−少なくとも１つの製品を含み、前記製品は少なくとも２つの製品ユニットから成り、前記製品ユニットの各々は、少なくとも１つの固有の製品識別子を備えられ、
−データベースを含み、前記データベースは一連の情報を含み、前記一連の情報は少なくとも２つの異なる情報ユニットを含み、少なくとも１つの前記一連の情報は、前記固有の製品識別子の各々に結び付けられ、
−少なくとも２つのリーダを含み、前記リーダは前記固有の製品識別子を読取ることが可能で、固有の製品識別子に基づいて、前記データベース内に格納された前記一連の情報にアクセスするための要求システムを含み、
各リーダは、ユーザが、２又はそれ以上のグループの少なくとも１つのグループのメンバーであることに基づいて、特定のグループ識別子を有する要求システムを含み、前記情報ユニットの少なくとも１つは、前記固有の製品識別子及び前記特定のグループ識別子に基づいて、前記リーダに選択的に提供される、システム。
【請求項１４】
前記データベースは、コンピュータシステムに格納される、請求項１３に記載のシステム。
【請求項１５】
前記データベースは、クラウドシステムに格納される、請求項１４に記載のシステム。
【請求項１６】
前記固有の製品識別子は、バーコード、ＱＲコード、データマトリックスコード、ザップコード、ＲＦＩＤタグ及びＮＦＣタグから成るグループから選択される少なくとも１つのタグの形式で提供される、請求項１３に記載のシステム。
【請求項１７】
前記固有の製品識別子は、包装又は製品内に組込まれるか、あるいは包装又は製品の少なくとも一部によって形成される、請求項１３に記載のシステム。
【請求項１８】
前記リーダは、バーコードスキャナ、カメラ付きコンピュータ、スキャナ付きコンピュータ、カメラ付きＰＤＡ、スキャナ付きＰＤＡ、カメラ付き携帯電話及びスキャナ付き携帯電話から成るグループから選択される、請求項１３に記載のシステム。
【請求項１９】
前記携帯電話はスマートフォンである、請求項１８に記載のシステム。
【請求項２０】
前記要求システムは、前記スマートフォン上のアプリケーションである、請求項１９に記載のシステム。
【発明の詳細な説明】
【技術分野】
【０００１】
本発明は、目標とする人々のコミュニティに情報を選択的に提供するための方法及びシステムに関する。
【０００２】
特に本発明は、特定の製品との関係を通して結び付けられる人々のコミュニティに、情報を選択的に提供するための方法及びシステムに関する。従って本発明の方法及びシステムは、個人ユーザを明確に特定する必要なく、コミュニティにおけるサブグループに情報を選択的に提供する。
【背景技術】
【０００３】
目標とする人々のグループとの具体的な通信は、常に相当な興味が持たれる。広告目的で、例えば、乾燥肌の人々、茶色の髪の毛の人々又は乳幼児を有する人々との通信、医学的な目的のため、例えば、糖尿病患者のような特定の病気の人々、介護士、医師又は医療サービス提供者との通信、又は他のあらゆる目的のため、それらの通信は、常に相当な興味が持たれる。
【０００４】
テレビ、ラジオ、新聞及び雑誌、Ｅメール又はテキストメッセージのような通信の一般的な経路は、広く普及させるという利点はあるが、とても曖昧になる傾向にある。この特性の欠如は大抵、例えば製品のリコールが大変重要であり得る場合に、メッセージが無視され、曖昧な広告の一般的なノイズに埋没するという事実に結びつく。
【０００５】
ケーブル・インターネットテレビ及び無線チャンネルの増加、専門化した新聞及び雑誌の存在にも拘らず、それらは人々の既定の部分のより具体的な目標を多少可能にするが、これらの手段は、情報を純粋に目標とされたコミュニティへ通信するには、依然曖昧すぎる。
【０００６】
ソーシャルメディアは、人々のコミュニティを、それらの中心又は興味又はニーズごとに集めることによって、ある程度この必要性を満たしている。今日、世界の人口の平均で約２５％が、少なくとも１月に１度ソーシャルネットワークに接続していると推定される。しかしこの数字は、大きな不均衡を隠している。例えば、詳細には、これら２５％の内の５０％以上が、アジア太平洋に位置している。さらに、これらの統計値は、月に一度の使用の平均に関し、統計値は、週１回、又は毎日の使用を考慮した場合、急に落ちる。さらに、これらの通信手段は依然、目標とされた人が関連するソーシャルメディアのグループに加入するか、又は関連するユーザのプロフィルに正確な入力を行うことを当てにしている。医療問題の場合、後者の可能性が大抵低いのは、多くの人々はより広いコミュニティと医療問題について通信することを好まないからである。
【０００７】
特に、食品生産物又は医薬製品のリコールのような緊急事態の場合、適切な目標グループに接触できる容易な経路はない。それどころか、企業や官庁は通常、新聞又はテレビでの告知、又はリコール製品を載せたウェブサイトのような、一般的な通信経路に頼る。
【０００８】
専門化組織、及び特定の分野についての関心を持つ人々を除いて、一般的な人々と比較して、特有の身体的又は行動的特徴がない人々の中のグループを目標にする場合、目標グループに到達するのはより困難である。これらは例えば、看護師、私的な世話人、家族の一員のような介護士であり得る。これらの人々のグループは異なる立場であっても、患者に対する安全及びサポートの観点から、通常同じ目的を有する。同様に、供給及び価値連鎖のメンバー、及び異なる企業の他の役割もまた、専門的なコミュニティを大抵形成する。そのようなコミュニティがさらに、自身のブログやソーシャルネットワークを大抵有するにも関わらず、これらの経路を使用してそのようなコミュニティのメンバーに、目標とする情報を選択的に提供することにおける成功は、一般的な人々のために記述されたそれと平均して同じである。
【０００９】
価値連鎖において遠く離れた位置を有する人々のグループの間の通信の場合、専用の通信経路は存在しない。例えば、偽造に関連する問題は、製品の本物の特徴、又はその欠如に関する認知度は、大概「事後」問題であることを立証する。鎖の末端の消費者にとって、製造物に関連し、製造認証についての直接の情報を入手するための簡単な経路はない。
【００１０】
決して完全でないこれらの例は、新たな通信経路に対する強い必要性が、目標とされた人々のグループに、容易かつ具体的に到達できることにより起こる、ということを明確に立証する。
【００１１】
広告は様々なコミュニティに到達しないかもしれないが、コミュニティは、乾燥肌の人々には保湿クレームを、乳幼児の親には乳幼児用調製粉乳を、又は糖尿病患者にはインスリンカートリッジを、といった特定の製品によって結び付けられることがしばしばある、ということに本願の発明者らは気づいた。さらに、これらの製品は、例えば製剤の最初の容器の製造にまで遡って開始する価値連鎖に沿って、通信ラインを形成する。従って１つの結合因子は、コミュニティが製造、販売、使用、消費、又はそうでなければ接触する製品の包装に、コミュニティが晒されるということである。
【００１２】
実際に、既定のコミュニティの人々のサブグループは、異なる専門的な職業、又は社会的地位を備えているかもしれないが、１つの製品の使用に関連して、彼らを１つのコミュニティに容易に集めることが可能である。そのようなコミュニティの一例が、インスリンカートリッジによって定義される人々のコミュニティである。このコミュニティは以下の人々を含んでもよい。
−空のカートリッジの製造及び包装に従事する人々
−インスリンの製造、及びそのカートリッジへの充填、その最後の包装（第一、第二及びそれ以降）及び認証に従事する製薬会社の人々
−製薬会社から薬局への流通経路における人々
−患者に対してインスリンの処方を行う医師
−調剤薬局
−処方に基づいてカートリッジの調達に従事する患者
−支払人及びコーチングプログラム企業
−患者及び／又は注射をする看護師
−特有の廃棄物処理に特化したサプライヤ
本発明に関連して、「製品」について述べる。この用語は、例えば以下に関連する人々の選択されたコミュニティによって、共通に使用又はアクセスされるアイテム、又はいくつかのアイテムの結合に言及するのに使用する。
−人々の健康状態（例えば、糖尿病患者及びインスリンを使用する患者のためのインスリンカートリッジ、又はインスリンの薬瓶又はペン、複数の硬化症又はリウマチ性関節炎患者のための予め充填された注射器、又は自己注射器、又は深刻なアレルギー反応を患う人々のためのエピネフリン自己注射器（EpiPen，AuviO））
−人々の習慣及びライフスタイル（例えば、フィットネスを行う人々用の運動靴又は栄養補助食品。又は乳幼児又は小さい子供のいる親のための乳幼児用調製粉乳）
−人々の専門的な職業（例えば、心臓専門医を補助する看護師、及び心臓専門医自身のためのステントボックス、糖尿病患者を手助けする看護師のためのペン又はインスリンカートリッジ、予防接種を行う看護師又は医師のための予め充填された注射器）
このリストは単に一例であり、決して決定的でないが、既定の製品を、コミュニティの人々の他の特徴（例えば位置、商品の購買層、専門的な立場）に関係なく、製品と接触する人々のコミュニティを定義するために使用することが可能であることを立証する。
【００１３】
製品という用語は従って、一般的なアイテム、又は例えば特定の製造業者によって作られた製品、又は特定のブランド又は製品名の元で販売された製品のような特定のアイテムに言及してもよい。
【００１４】
さらに、ここで使用される表現「製品」は、製品の最初の製造、又は注射用の薬瓶のような場合には最初の容器の製造から、製品が使い古された後の使い残しの遺棄物までの、そのライフサイクルの全段階における製品に言及する。
【００１５】
上述のように、任意の既定の目標グループの人々の特徴を結合するのは、彼らが同じ製品にアクセスしている、すなわち、いかなる理由（製造、移送、購入、販売、使用、廃棄等）であれ、彼らはこの製品に触れるという事実に基づく。従って、この製品を、目標グループのメンバー、又は目標グループ内の人々のグループと通信する有益な手段として使用可能である。
【００１６】
訪問者との通信のために包装を使用する試みがあるが、特に、広告、カスタマー・ロイヤルティ計画及び競争に関しては、これまでの使用は、ユーザに、特定のウェブサイト又はウェブサービスにログインし、自身のための特定のプロフィルを作成することを要求している。
【００１７】
例えばそのようなシステムの１つが、ＵＳ２０１４／００１９６０６号公報に開示されている。
【００１８】
しかしこれらのシステムは、いくつかの欠点を有している。
【００１９】
まず、それらは、ユーザがそれぞれのウェブサイト又はウェブサービスにプロフィルを作成することに頼るが、個人情報の保護についての関心が増加する時代において、それは次第に困難になっている。さらに、システムがデータの正確な設定入力に頼る場合、ユーザは、個人に関することで神経質に感じると、不注意でなく、データを漏らさないために、正確でないデータをしばしば入力するようなとき、これは著しい。
【００２０】
目標グループが共通の医学的問題によって多少なりとも結び付けられている場合、例えばそのような人々は一般的にそのような情報をオンラインで打明けることすらしそうにない場合、この問題は悪化する。さらに、医療問題に関する場合、そのような行為が完全に禁じられている国では、この問題は悪化する。さらに、特定の患者の状態と医学的アドバイスの任意のタイプとのリンクは、多くの国々において、医療診断ツールであると考えられ、包装及びそのバーチャルコンテンツのための規制当局の承認を必要とするだろう。
【先行技術文献】
【特許文献】
【００２１】
【特許文献１】ＵＳ２０１４／００１９６０６号公報
【発明の概要】
【発明が解決しようとする課題】
【００２２】
本願の発明者らは、上述のコミュニティ内において、サブグループが存在し、これらのグループは、異なるサブグループが包装上でタグと関り合う方法に基づいて識別可能で、特定の情報で目標にされるということを発見した。異なるグループは、包装に適用されるタグのために、異なるリーダに割当てられることが可能で、これらのリーダはユーザを少なくとも１つの特定のサブグループに付属すると識別し、特定のグループのメンバーであることに基づいて、特定の情報を提供する。
【００２３】
これは、ユーザが特定のウェブサイト又はウェブサービスにログインする必要がないという点で有利である。さらに、ユーザが望み明確にそれに賛同しない限り、特定のユーザの本人確認をすることはなく、従って、個人の極秘データの漏洩、又は包装の分類、及び診断のようなバーチャルコンテンツに関する問題は存在しない。
【課題を解決するための手段】
【００２４】
本発明の一局面に従えば、目標とする人々のコミュニティに情報を選択的に提供するための方法が提供され、次のステップを含む。
ａ）人々のコミュニティを選択するステップ。人々のコミュニティは少なくとも２人から成る。
ｂ）人々のコミュニティによってアクセスされた製品を識別するステップ。製品は少なくとも２つの製品ユニットから成る。
ｃ）各製品ユニットに、少なくとも１つの固有の製品識別子を提供するステップ。
ｄ）データベースを提供するステップ。データベースは一連の情報を含み、一連の情報は少なくとも２つの異なる情報ユニットを含む。
ｅ）少なくとも１つの一連の情報を、固有の製品識別子の各々に接続するステップ。
ｆ）人々のコミュニティにおける各人を、少なくとも２つのグループを定義するため、少なくとも１つのグループに割当てるステップ。
ｇ）各人にリーダを提供するステップ。リーダは固有の製品識別子を読取ることが可能で、固有の製品識別子に基づいて、データベースに格納された一連の情報にアクセスするための要求システムを含む。
【００２５】
そこで各人は、少なくとも１つのグループのメンバーであることに基づいて、特定のグループ識別子を有する要求システムを含むリーダを備えられる。少なくとも１つの情報ユニットは、固有の製品識別子及び特定のグループ識別子に基づいて、その人に選択的に提供される。
【００２６】
本発明の方法における個々のステップが、一定の順序で示され、ａ）からｇ）で名づけられたが、これは単に個々のステップを識別する意図であり、既定の順序でステップを実行する必要はない。本発明の方法において、様々なステップが、本発明の考え方から離れることなく、異なる順序で実行可能である。
【００２７】
本発明の別の局面に従えば、目標とする人々のコミュニティに情報を選択的に提供するためのシステムが提供され、システムは以下のものを含む。
−少なくとも１つの製品。製品は少なくとも２つの製品ユニットを含み、各製品ユニットは少なくとも１つの固有の製品識別子を備えられる。
−データベース。データベースは一連の情報を含み、一連の情報は少なくとも２つの情報ユニットを含み、少なくとも１つの一連の情報は固有の製品識別子の各々に接続される。
−少なくとも２つのリーダ。リーダは固有の製品識別子を読取ることが可能で、固有の製品識別子に基づいて、データベースに格納された一連の情報にアクセスするための要求システムを含む。
【００２８】
そこで各リーダは、ユーザが少なくとも２つのグループの少なくとも１つのグループのメンバーであることに基づいて、特定のグループ識別子を有する要求システムを含む。少なくとも１つの一連の情報は、固有の製品識別子及び特定のグループ識別子に基づいて、リーダに選択的に提供される。
【００２９】
本発明のいくつかの局面において、データベースはコンピュータシステム、特にクラウドシステム内に格納される。
【００３０】
固有の製品識別子を製品に添付するのに使用可能な、データの通信技術のタイプがいくつかある。そのような技術の例は、例えば、バーコード、ＱＲコード（登録商標）、ザップコード、データマトリックスコード、及びＮＦＣ又はＲＦＩＤタグのようなコーディングタグを含む。そのようなタグは、それらのコンテンツが読取られて解釈され得るために、光学式又は無線のいずれかのデジタルリーダを必要とする。いくつかの実施例において、タグは製品又は包装内に包含されてもよく、あるいは製品又は包装、又は製品又は包装自体の少なくとも一部であってもよい。この場合、画像認識ソフトウェアを使用して、タグを読取ることが可能である。これらのタグは、いつくかの特定のリーダを介して、タグに含まれる情報にアクセスする意思を有する人間による、積極的介入を必要とする。しかし、製品（又はその包装）におけるそれらの包含は、あらゆる余剰のエネルギー源を必要としないので、それらは大いに小型化され、そして通常は安価になる。
【００３１】
有益なタグの他の例は、以前から存在するワイヤレスネットワークを伴った自立した通信を確実にできる小型化された能動型ワイヤレス装置を含む。これらの技術は、製品（又はその包装）を保持する人からの介入をほとんど必要としないが、それらを小型化せず、「受動型」技術よりは通常かなり高価となるエネルギー源（例えばバッテリー）を必要とする。そのような能動的タグの例には、ＳＩＭカード、ブルートゥース（登録商標）、ジグビー又はワイファイ接続を利用する装置を含む。
【００３２】
ＳＩＭカードを使用する装置は、携帯電話ネットワークが利用可能になるや否や、完全に自立して通信するという利点を有する。これはインターネット・オブ・シングス（ＩｏＴ）に基づき、物はマシン・ツー・マシン（Ｍ２Ｍ）プロトコルを介して、それらの間で通信可能である。ブルートゥース、ジグビー又はワイファイに基づく装置は、短距離の通信能力を有し、情報をインターネットに中継するためにはハブにアクセスしなければならない。次にハブは携帯電話であり得る。それらの大きさ、場合によっては費用及び容易さのため、コーディングタグが好まれ得る。
【００３３】
本発明のいくつかの局面において、固有の製品識別子は、バーコード、ＱＲコード、データマトリックスコード、ザップコード、ＲＦＩＤタグ及びＮＦＣタグから成るグループから選択される少なくとも１つのタグの形式で備えられる。
【００３４】
本発明のいくつかの局面において、固有の製品識別子は、包装又は製品内に包含されるかあるいは、包装又は製品の少なくとも一部によって形成される。
【００３５】
固有の製品識別子は、製品自身又はその包装に添付されるか、あるいは製品自身の一部又はその包装の少なくとも一部である。例えば、第一の包装（例えば、液体製品又は粉体の製品用の容器）、第二の包装（例えば第一の包装用の箱）、又は第三又はより高い順序の包装（製品の複数のユニットが結合される、例えば分配用の箱）。一般的に、固有の製品識別子は、第一の包装及び第二の包装の少なくとも１つに添付される。固有の製品識別子が、第三又はより高い順序の包装に添付される場合、それは、複数の固有の製品識別子を含むより高い順序のロット識別子の下でアクセス可能なリストに含まれ得る。後者の場合、通常、固有の製品識別子と個々の製品との間にリンクを追加で提供する、あるいはより低い順序の包装上に追加の固有の製品識別子を提供することのいずれかが必要となる。しかし、いくつかの場合において、ロット識別子を本発明の方法／システムに提供することが十分であり得る。この場合、ロット識別子は固有の製品識別子になる。固有の製品識別子が包装の複数の層に提供される場合、例えば、識別子の複数の形式が包装のあるタイプにとってより適切である場合、あるいは包装の特定の段階と接触する人々が特定のスキャナを使用する傾向にある場合（例えば販売者によってほとんど排他的に操作される傾向にあるハイレベルの包装の場合）、それは全段階で同じ形式、あるいは異なる段階で異なる形式であり得る。
【００３６】
本発明のいくつかの局面において、固有の製品識別子は、包装の複数段階に添付され、包装の全段階を含んでいる。
【００３７】
リーダという用語は、固有の製品識別子を読取り、特定のグループ識別子と共に固有の製品識別子をデータベースに伝達し、そしてデータベースからユーザに選択的に受信された少なくとも１つの情報ユニットを、受信かつ通信することが可能なあらゆる装置に関する。
【００３８】
タグを読取り可能な電子機器の例として、バーコード、ＱＲコード、データマトリックスコード、又はトラッカーとして機能可能な、すなわちデジタル情報として解釈され得る他のあらゆる種類のタグ又は画像などが一般的に公知である。そのような機器は、店舗、倉庫又は物流環境で使用されるような専用のバーコードスキャナを含む。そのようなスキャナは通常、ケーブル、ワイファイ又は携帯電話通信又はデータリンクによるある種のインターネット接続を有する。使用可能な他の機器は、スキャナ又はカメラ又は携帯電話又はタブレットのような適切なリーダ、カメラ又はスキャナのような適切なリーダを重ねて備える固定型及び可動型コンピュータとの両方を含む。
【００３９】
リーダはさらに、固有の製品識別子及び特定のグループ識別子に基づいて、データベースに格納された一連の情報にアクセスするための要求システムを有する。データベースへのアクセスは、当業者に公知のあらゆる手段によって実行可能であり、有線のＷＡＮ又はＬＡＮ接続、ワイファイ接続又は携帯電話通信又はデータ接続のようなデータ接続を使用することで大抵実行されるだろう。それにもかかわらず、固定電話回線接続、ブルートゥース又は専用のラジオ放送網のような他のワイヤレス接続、又は専用の有線接続のような、他のアクセス手段を用いることが可能である。
【００４０】
いくつかの場合において、リーダのハードウェアは、例えば携帯電話又はコンピュータの形式で、既にユーザに与えられている。この場合、本発明の方法／システムのリーダは、通常、ソフトウェアの部品の形式で、要求システムをインストールすることで提供される。
【００４１】
本発明のいくつかの局面において、リーダは、バーコードスキャナ、カメラ付きコンピュータ、スキャナ付きコンピュータ、カメラ付きＰＤＡ、スキャナ付きＰＤＡ、カメラ付き携帯電話、及びスキャナ付き携帯電話から成るグループから選択される。
【００４２】
本発明のいくつかの局面において、リーダはスマートフォン、特にカメラ付きスマートフォン、特にインターネットに接続可能なスマートフォンである。
【００４３】
本発明のいくつかの局面において、要求システムは、スマートフォン上で動作するアプリケーションである。
【００４４】
本発明のいくつかの局面において、リーダはコンピュータに接続されるカメラである。
【００４５】
本発明のいくつかの局面において、リーダは、スクリーンに（有線又は無線で）接続されるスキャナである（例えば手動のスキャナ）。
【００４６】
特定のグループ識別子は一般的に、ユーザが特定のグループのメンバーであることを識別する、コード又はソフトウェア、ハードウェア又はファームウェアのトークン信号である。従って、異なるグループのメンバーが、同じハードウェアから成るが異なるソフトウェアを動作するリーダを有するか、あるいは同じソフトウェアを有する同じハードウェアから成るリーダを有することさえ完全に可能である。後者の場合において、相違点は、ソフトウェアが異なる特定のグループ識別子を備えられるかあるいは、少なくとも異なるフラグ又は選択肢が、特定のグループにユーザが属することを識別するよう設定されることである。いずれの場合も、ユーザが特定のグループに属しているという識別は従って自動的で、ユーザからの介入を一切必要としない。いくつかのシナリオにおいて、ユーザは、情報が価値連鎖又は使用の連鎖における自身の立場に対して特有であると気づかないことさえ可能である。いくつかの場合において、特定のグループ識別子は事前承認を要求してもよく、特定のグループ、例えば、医療専門家のグループのためにのみ利用可能である。
【００４７】
本発明の方法／システムのための重要な点の１つは、特定のグループ識別子が個々のユーザを識別せず、単にユーザが特定のグループに属するということである。ユーザに例えば、ロイヤルティ計画に参加する、又はより個人向けのサービスを入手するためのより具体的な詳細を登録する選択肢をさらに与えることが可能であるが、これは単に一選択肢であり、本発明にとって必須ではない。システム内に個々のリーダを登録する必要がないので、個々のユーザのプライバシーは、ユーザも、既定のグループのユーザも、ユーザがそうしない限り、システムに登録されないので、本人が望めば保護さる。大抵の場合において、各グループは少なくとも２人から成るが、ユーザの本人確認が送信される必要がなく、グループごとのユーザの数も登録されないので、グループが単に１メンバーのみを含む場合、ユーザの身元は保護される。システムは、ユーザがこの情報を共有することに明確に同意しない限り、２つの製品ユニットが、同じユーザ、又は２人の異なるユーザによってアクセスされたかどうかを告げることすらできない。
【００４８】
本発明のいくつかの局面において、異なるグループは製品の価値連鎖において異なる点と連携される。例えば、グループは、製品、包装のいくつか又は全て、流通網の様々な段階（例えば卸売販売業者、仲介者及び小売業者）、ユーザ、又は製品の使用後に残された廃棄物処理に携わる人々の製造のために定義されることが可能である。
【００４９】
システムのユーザは、例えば、ある人物が製品の製造と使用の両方に従事する場合、複数のグループに属することが可能である。これらの場合、その人物が異なる状況又は環境のための異なる特定のグループ識別子を有する。ある人物が異なるグループに属する場合、そのグループは、例えば仕事場のスキャナ、及び私的利用のためのスマートフォン又は例えば仕事場又は自宅での使用のための異なるソフトウェアを動作させるためのスキャナ、あるいは例えばユーザ入力又は位置サービスに基づく、異なる一連の情報を提供する同じソフトウェアを有してもよい。
【００５０】
本発明のいくつかの局面において、製品は、医療機器、製剤、パーソナルケア製品、栄養剤、栄養補助食品、機能性食品及び食品から成るグループから選択される。
【００５１】
本発明のいくつかの局面において、少なくとも１つのグループは、病気又は疾患を患う人々から成る。そのような疾患は例えば、慢性的又は非慢性的な疾患であり得る。
【００５２】
ユーザに提供される情報ユニットは例えば、商品の追跡において使用されるデータを含むことが可能である。それは例えば識別番号、ロット番号、有効期限を含むがそれらに限定はされないＧＳ１データのようなデータである。例えば、画像、ビデオクリップ又はオーグメンティッド・リアリティ（ＡＲ）シークエンスのような製品に関連するデジタルコンテンツ又は製品又はリンク、すなわち、装置のスクリーンに現れる特定の仮想環境であるが、地元の店舗又は薬局の製品の在庫、又は製品リコールの情報のような、より動的な情報もまた含む。別の実施例において、情報は、相互作用的、例えば、ユーザによって行われるゲームであってもよい。
【００５３】
様々なグループのための例、及びグループに提供される特定の情報は、インスリンカートリッジの形の製品に関係して与えられ得る。従ってそのような製品は、以下のグループと接触しても良い。
−空のカートリッジの製造及び包装に従事する人々。このグループは、製造される製品の原材料又は部品の調達及び今後の仕様書の順守を確認することに関心があってもよい。
−カートリッジにインスリンを充填し、その最後の包装（最初、第二及びそれ以降）に従事する製薬会社の人々。このグループは、製品に添付される品質管理のパラメータ、例えば、その寸法、組成物、製造及び包装ステップによって提供されるような不具合の欠如を立証することに関心があってもよい。
−製薬会社から薬局への流通経路に従事する人々。このグループは、製品のリアルタイムの位置を追跡することに関心があってもよい。
−患者にインスリンを処方する医師。このグループは、患者が処方箋に応じて所望の製品を入手することができるように、製品のリアルタイムの在庫状況を確認し、その製品が偽造されていないか、そして患者自身が自分の施設で製品を保管している場合に使用可能かどうかを確認するのと同様に、処方箋と患者の状態との適合性を確認することに関心があってもよい。
−患者にインスリンを調剤する薬剤師。このグループは、その製品が偽造されていないか、そして患者自身が自分の施設で製品を保管している場合に使用可能かどうかを確認するのと同様に、在庫が少ない場合に、新たな在庫の配達予定日を確認することに関心があってもよい。さらに、このグループは、インスリンの適格な投与に関する情報、治療のサポート又は他の製品に関する情報に関心があってもよい。それは例えば、糖尿病に関連する問題及び並存疾患を軽減し、薬剤師が推薦できるような、患者にとって関心があるかもしれない情報である。
−注射を行う患者及び／又は看護師は、製品が偽造でなく使用可能（リコールされていない）であることを確認し、あるいは投与手順を容易にし、警戒と安全性を増加させる教材を保持することに関心があってもよい。
【００５４】
本発明の方法／システムにより、それぞれのグループのメンバーのみが、自らに関連があり有益な情報を受取ることを確実にできる。さらに、本発明の方法／システムは、例えば製品リコールに関するような重要な情報を、特定の目標の訪問者に供給することを容易にする。
【図面の簡単な説明】
【００５５】
本発明を厳選した例に基づいて、添付の図面を参照して、より詳細に説明する。
【図１】製品としてインスリンカートリッジを使用した本発明の方法／システムを示すブロック図である。
【発明を実施するための形態】
【００５６】
特定の例に基づき、添付の図面を参照して、本発明の好ましい実施例を参照する。
【００５７】
図１は、一例としてインスリンカートリッジを使用した本発明の方法／システムの使用を説明するブロック図である。
【００５８】
ステップ１（１００）で、カートリッジは、製造工場で（ガラス管から）形成されるや否や、固有の製品識別子のタグが付けられる。この場合、バーコードはレーザーを使用してガラス内に刻まれる。クラウドに基づいたシステムに置かれたデータベースにおいて、この１つのカートリッジのために、入力が作られる。この入力はさらに、固有の識別子に追加して、カートリッジが形成された火炎温度のような情報ユニットを含む。そしてカートリッジは、調査及び管理パラメータ（例えば寸法、欠陥検出等）を通過し、それぞれのデータベースの入力に追加される。
【００５９】
ステップ２（２００）で、複数のカートリッジが箱の中で包装される。この箱は再び、識別コードのタグが付けられる。この箱の識別コードは、各カートリッジに対する各データベース入力に追加される。代わりに又は追加して、さらなるデータベース入力が、それが包含する全カートリッジのタグ番号の一覧と同様に、箱の識別コードを包含して生成され得る。同様の手順が、例えば物流の原因のため、複数のカートリッジの箱を収集するあらゆる包装に適応される。最後に、包装はカートリッジを含み、それらの様々な包装の段階が、充填のため製薬業者へ配送するため、パレット上に収集される。さらに、包装のこれらの違う段階は、各々の識別コードが備えられる。
【００６０】
ステップ３（３００）で、カートリッジは、インスリンのカートリッジへの充填、及び最後の包装（最初、第二及びそれ以降）に従事する製薬会社に配送される。これは第一ステップであり、ここで各カートリッジのタグが読まれる。この場合、バーコードスキャナが使用される。バーコードスキャナの要求システムは自動的に、カートリッジの充填に従事する製薬会社の従業員として、ユーザを識別する。要求システムは、個々のカートリッジの固有の製品識別子及び特定のグループ識別子に基づいて、データベースから関連する情報ユニットを要求する。これに基づき、ユーザは各カートリッジの製造パラメータにアクセスし、各カートリッジが、それがその充填ラインを入力する前に、偽造でなく、所望のパラメータを満たしていることを立証可能である。充填された各カートリッジはそして、各カートリッジの各データベース入力に追加して、検査システムを通って、充填及び検査結果と共に検査される。このステップで追加されるデータは例えば、バッチ番号、及び場合によっては使用されるインスリンの製造業者、充填する日付と時間、及び品質管理の結果を含んでもよい。さらに、カートリッジがオリジナルであり偽造でないことを立証するため、製品追跡のために使用され得る入力を追加することも可能である。そしてカートリッジは包装され、各第二包装は再び固有の製品識別子（第二包装が１つのカートリッジのみを含む場合）又は包装における全カートリッジに結び付けられる第二識別子のいずれかが備えられる。この場合、ＱＲコードはタグの第二包装に使用される。最後に、第二包装は再び、ステップ２での包装と同様に、各識別コードが備えられるより大きなロットで収集される。
【００６１】
ステップ４（４００）で、カートリッジは流通網を通過する。ここで通常、より高い段階の包装（パレット又は箱）のタグは読取られ、包装のＧＰＳの位置は、包装がどこに位置するかをリアルタイムで立証するため、各カートリッジに対する各データベースの入力に追加され得る。さらに、供給チェーンの段階次第で、ユーザには、更なるカートリッジの位置及び在庫に関する情報が提供される。これは、供給への配送、又は例えば、需要が増加するかあるいは蓄えが減少している位置への配送に対する需要状況に適合させるため、あるいは、供給チェーンより下の在庫があまりない場合に、カートリッジを注文するために、行われる。
【００６２】
ステップ５（５００）で、医師は患者にインスリンを処方する。医師は従って、自身のスマートフォンに特有の「医師−アプリケーション」をダウンロード可能である。この場合、スマートフォンはリーダとして機能し、「医師−アプリケーション」は要求システムとして機能する。いくつかの場合において、「医師−アプリケーション」へのアクセスは、安全上の理由で、医療専門家のメンバーに制限されることが望ましいかもしれない。例えば、包装上で固有の製品識別子を読取る場合、アプリケーションはクエリーをデータベースに送信する。そして「医師−アプリケーション」は、開業医に、例えば、処方されたカートリッジの位置情報、製品の在庫が利用可能であるかどうか、そして未解決のリコールが存在しているか及びその場所を提供する。さらに、「医師−アプリケーション」は、開業医の手術で保存されている在庫のあらゆるカートリッジの本物の特徴を確認可能である。任意で、「医師−アプリケーション」は、食生活とライフスタイルを通した治療をサポートする方法と同様に、糖尿病治療の分野における最近の進歩に関する情報を提供できる。
【００６３】
ステップ６（６００）で、インスリンは、薬局で患者及び／又は介護士によって引取られる。この場合、固有の製品識別子は、ティルシステム（ｔｉｌｌ  ｓｙｓｔｅｍ）に統合されたスキャナによって読取られる。ティルシステムは次に要求システムを努め、リーダを薬剤師グループに属していると識別する。要求システムによって送信された要求に応答して、データベースは製品の本物の特徴に関する情報、及び新たな在庫発注がなされる必要がある場合の配送時間と同様に、未解決の製品リコールがあるかどうかについての情報を提供する。１つのシナリオにおいて、システムは薬剤師に、自身の供給量が低い場合に、更なる在庫を直接注文する選択肢を与えることが可能である。データベースはまた、治療のサポートの情報と同様に、インスリンの適格な投与に関する情報も提供可能である。さらに、データベースは、消費者が関心があるかもしれない他の製品についての情報を提供可能である。例えば、糖尿病に関連する問題及び並存疾患を軽減し、薬剤師が推薦できる製品に関する情報を提供可能である。
【００６４】
ステップ７（７００）で、インスリンは、投与の用意が出来た患者又は介護士に渡る。患者又は介護士は、自身のスマートフォンに、特有の「患者−アプリケーション」又は「介護士−アプリケーション」をダウンロード可能である。これらのアプリケーションは、「医師−アプリケーション」と同様の基本のアプリケーションであり得るが、ユーザを患者又は介護士として識別するために、異なるグループ識別子を備える。介護士という用語は、患者がインスリンを投与するのを手伝う患者以外の全ての人に及ぶ。このグループは、例えば、訪問看護師と病院又は在宅医療における看護師の両方を含む看護師、ボランティア又は家族の一員を含む。固有の製品識別子の読取りにおいて、データベースはさらに、製品の本物の特徴に関する情報、及び未解決の製品リコールがあるかについての情報を提供可能である。カートリッジが偽造であると判断されるか又はリコールされている場合、アプリケーションは、カートリッジを回収する方法又は安全に廃棄する方法のいずれかについての情報を提供可能である。さらに、データベースは、ビデオ又はオーグメンティッド・リアリティ（ＡＲ）ディスプレイのような、テキスト、音声信号又はビジュアルコンテンツの形式で、インスリンの安全な投与に関する情報を提供可能である。特に、ＡＲは有益な手段であり得る。なぜなら、ユーザが例えば、カートリッジがどのように確認されてどのようにペンで使用され得るかについて、３Ｄで説明するＡＲディスプレイにアクセスしやすいからである。そこで、それが、それらのまさに目の前で、「本物」のカートリッジを包み込むように、ユーザはペンの３Ｄのアニメーションを見ることができる。さらに、システムは患者に、患者の生活の質を改善させるかあるいは、糖尿病に関する他の商品やサービスに患者を向かわせるために、食生活又はライフスタイルの変化に関する情報を提供可能である。糖尿病患者にとって関心がある商品やサービスを提供するかもしれない会社とは例えば、食事制限をする患者に適応されるレストラン、及びレストランの斡旋者、減量を目的とする糖尿病患者に適応される食料追跡アプリケーション及びサービス、健康的なライフスタイルに固執するよう糖尿病患者を刺激することが目的のフィットネス健康アプリケーション、着用可能なフィットネス追跡装置、ブドウ糖監視アプリケーション、インスリン計算機、患者及び介護士のための糖尿病ケア又はヘルプライン、糖尿病患者のための出会い系サイト、インスリン投与のタイムテーブルの改正を特別に備えた糖尿病患者のための旅行会社、糖尿病オンラインディスカウントストア、個別のコーチングプログラム、医師／患者の連絡の世話役、患者／家族の連絡の世話役又は糖尿病特有のソーシャルネットワーク、を含む。患者又は介護士のアプリケーションが、患者の生活の質を改善させるために、食料又はフィットネストラッカーのように、スマートフォンにある他のアプリケーションと相互作用することも可能である。
【００６５】
上記においては、カートリッジ自身に関連する価値連鎖に属する利害関係者のみが考慮されている。従って、創造された「コミュニティ」は実際に、ある時にはカートリッジ、他の時にはその製造、流通及び使用にアクセスする人々と接触することに関心がある、あらゆる利害関係者に範囲を広げることが可能である。
【００６６】
さらに、本発明の方法／システムの使用は、治療のための費用を支払う組織にとっても関心がある。というのは、それは患者の安全、及び市場における不正医薬品の数を削減することに貢献するからである。さらにそれは、目標とした伝達経路を有するそれらに、コンプライアンスを向上させるために使用され得る患者を提供し、糖尿病に関する問題及び並存疾患に関連する費用を削減するための、建設的な食生活及びライフスタイルの選択を促す。しかしいずれの場合も、患者のプライバシーは、本発明の方法／システムによって保護され、個々のユーザとして人物を特定することなしに、特定のグループの一員としてユーザを識別することが可能である。
【００６７】
本発明を、多くの選択された実施例及び履行に関連して説明したが、本発明はそれに限定されず、添付の請求項の及び考え方の範囲内に含まれる全ての修正及び同等のものに及ぶ。
【図１】
2018507502.tif 000003
【国際調査報告】
2018507502.tif 000004
2018507502.tif 000005